(57)【要約】  実施例に係わる発光素子は、ＰＣＢに装着され、光を放出する発光部；ＰＣＢから離隔され、発光部に対応する位置に形成されて、発光部から放出された光を通過させる開口を有する遮光部；遮光部とＰＣＢとの間に配置されて、発光部から放出された光が遮光部とＰＣＢとの間に放出されることを遮断する密封部；及び発光部から遠ざかる方向に向かう遮光部の一面と接し、光を透過させる透過部；を含むが、開口を通過した光ボケを防止するように開口は、発光部から遠ざかる方向における一側端部に発光部から遠くなるほど拡張される外周面である傾斜面を有することができる。
2021503184.tif 000002
【特許請求の範囲】
【請求項１】
ＰＣＢに装着されて光を放出する発光部と、
前記ＰＣＢから離隔され、前記発光部に対応する位置に形成され、前記発光部から放出された光を通過させる開口を有する遮光部と、
前記遮光部と前記ＰＣＢとの間に配置され、前記発光部から放出された光が前記遮光部と前記ＰＣＢとの間に放出されることを遮断する密封部と、
前記発光部から遠ざかる方向に向かう前記遮光部の一面と接し、光を透過させる透過部と、を含み、
前記開口を通過した光のボケを防止するように、前記開口は、前記発光部から遠ざかる方向における一側端部に前記発光部から遠くなるほど拡張される外周面である傾斜面を有することを特徴とする発光素子。
【請求項２】
前記密封部と前記ＰＣＢとの間に配置され、前記密封部と前記ＰＣＢとを接着する接着部をさらに含むことを特徴とする請求項１に記載の発光素子。
【請求項３】
前記透過部は、前記開口に収容される突出部を含むことを特徴とする請求項１に記載の発光素子。
【請求項４】
前記密封部は、弾性を有する素材を含むことを特徴とする請求項１に記載の発光素子。
【請求項５】
前記遮光部は、前記透過部よりも高いガラス遷移温度を有する物質を含むことを特徴とする請求項１に記載の発光素子。
【請求項６】
前記遮光部の前記開口の内壁面は、Ｒａ≦１である表面粗度を有して光を反射する鏡面を含むことを特徴とする請求項１に記載の発光素子。
【請求項７】
前記開口の前記傾斜面は、前記開口の中心に向かう方向に傾いたことを特徴とする請求項１に記載の発光素子。
【請求項８】
前記開口の前記傾斜面は、前記開口の中心に向かう方向に凸状に湾曲されたことを特徴とする請求項１に記載の発光素子。
【請求項９】
前記開口の前記傾斜面は、前記開口の中心から遠ざかる方向に凹状に湾曲されたことを特徴とする請求項１に記載の発光素子。
【請求項１０】
前記開口の前記傾斜面は、可変曲率を有することを特徴とする請求項１に記載の発光素子。
【請求項１１】
請求項１ないし１０のうちいずれか１項に記載の発光素子を複数個含むことを特徴とする発光モジュール。
【請求項１２】
請求項１１に記載の発光モジュールを含むエアロゾル生成装置。
【請求項１３】
ＰＣＢに光を放出する発光部を装着させる段階と、
前記発光部から放出された光を通過させるように、前記発光部に対応する位置に形成された開口を有する遮光部を前記ＰＣＢと離隔して配置させる段階と、
前記発光部から放出された光が前記遮光部と前記ＰＣＢとの間に放出されることを遮断する密封部を前記遮光部と前記ＰＣＢとの間に配置させる段階と、
光を透過させる透過部を前記発光部から遠ざかる方向に向かう前記遮光部の一面と接するように配置させる段階と、を含み、
前記遮光部の前記開口を通過した光のボケを防止するように、前記開口は、前記発光部から遠ざかる方向における一側端部に前記発光部から遠くなるほど拡張される外周面である傾斜面を有することを特徴とする発光素子製造方法。
【発明の詳細な説明】
【技術分野】
【０００１】
本発明は、発光素子及びそれを含むエアロゾル生成装置に係り、さらに詳細には、光ボケを防止する構造を有する発光素子とそれを含むエアロゾル生成装置に関する。
【背景技術】
【０００２】
最近、発光素子を含む電子機器の利用が拡大しており、特にＬＥＤ光源を含む発光素子に対する需要が増加している。これは、ＬＥＤ光源が他の光源に比べて、長寿命を有し、低電力消耗量を有し、かつ小型で構成することができるためである。
【０００３】
上述した発光素子を複数個含む発光モジュールは、照明器具のみならず、多様な電子器機などに付着されて活用される。但し、従来の電子器機などに付着されて使用される発光素子は、発光素子の内部構造によって、光ボケが発生してしまう問題点を有する。
【０００４】
発光素子の内部構造によって、発光素子に光ボケが発生すれば、放出される光量が減少し、発光素子が示すことができる視覚的な効果が低下してしまう。
【０００５】
かような問題点を解決するために、発光素子の光ボケを最小化するための発光素子の構造の必要性がある。さらに詳細には、光の屈折角度を変形して、集光可能な構造を発光素子に適用することで、光の屈折によって光量が減少することにより、視覚的な効果が低下することを防止する構造技術の必要性がある。
【発明の概要】
【発明が解決しようとする課題】
【０００６】
本発明の実施例は、光ボケを防止する構造を有する発光素子を提供する。
【０００７】
また、本発明の実施例は、上述した発光素子を複数個含む発光モジュールとそれを含むエアロゾル生成装置を提供する。
【０００８】
本実施例が解決しようとする技術的課題は、前記のような技術的課題に限定されず、以下の実施例からさらに他の技術的課題が類推可能である。
【課題を解決するための手段】
【０００９】
実施例に係わる発光素子は、ＰＣＢに装着されて光を放出する発光部；ＰＣＢから離隔され、発光部に対応する位置に形成され、発光部から放出された光を通過させる開口を有する遮光部；遮光部とＰＣＢとの間に配置され、発光部から放出された光が遮光部とＰＣＢとの間に放出されることを遮断する密封部；及び発光部から遠ざかる方向に向かう遮光部の一面と接し、光を透過させる透過部；を含むが、開口を通過した光ボケを防止するように、開口は、発光部から遠ざかる方向における一側端部に発光部から遠くなるほど拡張される外周面である傾斜面を有することができる。
【００１０】
発光素子は、密封部とＰＣＢとの間に配置され、密封部とＰＣＢとを接着する接着部をさらに含んでもよい。
【００１１】
透過部は、開口に収容される突出部を含んでもよい。
【００１２】
密封部は、弾性を有する素材を含んでもよい。
【００１３】
遮光部は、透過部よりも高いガラス遷移温度を有する物質を含んでもよい。遮光部の開口の内壁面は、Ｒａ≦１である表面粗度を有して光を反射する鏡面を含んでもよい。
【００１４】
開口の傾斜面は、開口の中心に向かう方向に傾斜してもよい。
【００１５】
開口の傾斜面は、開口の中心に向かう方向に凸状に湾曲される。
【００１６】
開口の傾斜面は、開口の中心から遠ざかる方向に凹状に湾曲される。
【００１７】
開口の傾斜面は、可変曲率を有してもよい。
【００１８】
他の実施例に係わる発光モジュールは、複数個の発光素子を含んでもよい。
【００１９】
また他の実施例に係わるエアロゾル生成装置は、複数個の発光素子を含む発光モジュールを含んでもよい。
【００２０】
発光素子の製造方法は、ＰＣＢに光を放出する発光部を装着させる段階；発光部から放出された光を通過させるように発光部に対応する位置に形成された開口を有する遮光部をＰＣＢと離隔して配置させる段階；発光部から放出された光が遮光部とＰＣＢとの間に放出されることを遮断する密封部を遮光部とＰＣＢとの間に配置させる段階；及び光を透過させる透過部を発光部から遠ざかる方向に向かう遮光部の一面と接するように配置させる段階；を含むが、遮光部の開口を通過した光ボケを防止するように開口は、発光部から遠ざかる方向における一側端部に発光部から遠くなるほど拡張される外周面である傾斜面を有する。
【発明の効果】
【００２１】
本発明の実施例に係わる発光素子は、一側端部に発光部から遠くなるほど拡張される外周面である傾斜面を有する開口を含むことで、発光素子から放出された光が開口の中心軸と平行に進められる。したがって、発光素子から放出された光の光ボケ現象を防止することができ、発光素子が有する視覚的効果を増進させて視覚的信号の意味をさらに明確にすることができる。
【００２２】
上述した実施例に係わる発光素子を複数個含む発光モジュール及びそれを含むエアロゾル生成装置が本実施例によって提供される。これにより、エアロゾル生成装置を含む電子機器を使用するユーザの使い勝手が向上する。
【図面の簡単な説明】
【００２３】
【図１Ａ】従来の発光素子の断面図を示す図面である。
【図１Ｂ】一実施例に係わる発光素子の断面図である。
【図２】図１Ｂに示された実施例に係わる発光素子を分解して示す斜視図である。
【図３Ａ】他の実施例に係わる発光素子の遮光部の例示的形状を示す断面図である。
【図３Ｂ】他の実施例に係わる発光素子の遮光部の例示的形状を示す断面図である。
【図３Ｃ】他の実施例に係わる発光素子の遮光部の例示的形状を示す断面図である。
【図４】図１Ｂないし図３Ｃに示された実施例に係わる発光素子を複数個含む発光モジュールを示す斜視図である。
【図５Ａ】図４に示された発光モジュールを含むさらに他の実施例に係わるエアロゾル生成装置を概略的に示すブロック図である。
【図５Ｂ】図４に示された発光モジュールを含むさらに他の実施例に係わるエアロゾル生成装置を概略的に示すブロック図である。
【図５Ｃ】図５Ａ及び図５Ｂのエアロゾル生成装置の斜視図である。
【発明を実施するための形態】
【００２４】
実施例に係わる発光素子は、ＰＣＢに装着されて光を放出する発光部と、ＰＣＢから離隔され、発光部に対応する位置に形成され、発光部から放出された光を通過させる開口を有する遮光部；遮光部とＰＣＢとの間に配置され、発光部から放出された光が遮光部とＰＣＢとの間に放出されることを遮断する密封部；及び発光部から遠ざかる方向に向かう遮光部の一面と接し、光を透過させる透過部；を含むが、開口を通過した光ボケを防止するように開口は、発光部から遠ざかる方向における一側端部に発光部から遠くなるほど拡張される外周面である傾斜面を有してもよい。
【００２５】
実施例において使用される用語は、本発明における機能を考慮しつつ、可能な限り、現在広く使用される一般的な用語を選択したが、これは、当業者の意図または判例、新たな技術の出現などによって異なりうる。また、特定の場合、出願人が任意に選定した用語もあり、その場合、当該発明の説明部分において、詳細にその意味を記載する。従って、本発明で使用される用語は、単純な用語の名称ではなく、その用語が有する意味と、本発明の全般にわたる内容とを基に定義されなければならない。
【００２６】
明細書全体においてある部分がある構成要素を「含み」または「含む」とするとき、それは特に反対となる記載がない限り、他の構成要素を除外するものではなく、他の構成要素をさらに含んでもよいということを意味する。また、明細書に記載の「．．．部」、「．．．モジュール」などの用語は、少なくとも１つの機能や動作を処理する単位を意味し、これは、ハードウェアまたはソフトウェアとして具現されるか、ハードウェアとソフトウェアとの結合で具現される。
【００２７】
以下では、添付図面に基づいて本発明の実施例について本発明が属する技術分野で通常の知識を有する者が容易に実施可能なように詳細に説明する。しかし、本発明は、様々な異なる形態として具現され、ここで説明する実施形態に限定されるものではない。
【００２８】
以下、図面を参照して本発明の実施例を詳細に説明する。
【００２９】
図１Ａは、従来の発光素子１０の断面図を示す図面である。図１Ａを参照して、従来の発光素子１０についてさらに詳細に説明すれば、発光素子１０は、発光部２０及び発光部２０から放出された光が一方向に通過するように、発光部２０に対応する位置に形成された開口を有する遮光部３０を含んでもよい。
【００３０】
この際、従来の発光素子１０の遮光部３０の開口は、一定幅を有する。すなわち、開口は、円柱状の内部空洞を含んでもよく、開口の幅は、発光部２０からの位置とは関係なく、一定である。
【００３１】
図１Ａを参照すれば、従来の発光素子１０の遮光部３０に形成された開口を通過した光の経路を概略的に知ることができる。一定幅を有する開口を通過した光は、開口の内壁で反射され、従来の発光素子１０の外部に放出される。この際、開口の内壁は扁平面を形成することができ、開口の内壁から反射された光は、開口の断面の面積より大面積の形状を、従来の発光素子１０外部に形成することができる。従来の発光素子１０外部に形成された形状は、以後ユーザによって視覚的に認識される。
【００３２】
開口の断面の面積より大面積の従来の発光素子１０外部に形成されれば、光量の密度が減り、視覚的効果が低下する光ボケ形状が発生することができる。したがって、従来の発光素子１０が装着された電子機器を使用するユーザは、発光素子１０の内部構造による光ボケ現象によって、発光素子１０が示す視覚的標識を明確に認識することが困難になりうる。
【００３３】
図１Ｂは、実施例に係わる発光素子１００の断面図を示す図面である。実施例に係わる発光素子１００について図１Ｂを参照して詳細に説明する。
【００３４】
図１Ｂに示された実施例に係わる発光素子１００は、ＰＣＢ１１０に装着されて光を放出する発光部１２０、ＰＣＢ１１０から離隔され、発光部１２０から放出された光が一方向に通過するように、発光部１２０に対応する位置に形成された開口１３５を有する遮光部１３０、遮光部１３０とＰＣＢ１１０との間に配置され、発光部１２０から放出された光が遮光部１３０とＰＣＢ１１０との間に放出されることを遮断する密封部１５０及び発光部１２０から遠ざかる方向に向かう遮光部１３０の一面と接し、光を透過させる透過部１４０を含んでもよい。
【００３５】
この際、実施例に係わる発光素子１００は、遮光部１３０の開口１３５を通過した光ボケを防止するように、遮光部１３０の開口１３５は、発光部１２０から遠ざかる方向における一側端部に発光部１２０から遠くなるほど拡張される外周面である傾斜面１３８を有することができる。
【００３６】
また、実施例に係わる発光素子１００は、密封部１５０とＰＣＢ１１０との間に配置され、密封部１５０とＰＣＢ１１０とを接着する接着部１６０をさらに含んでもよい。
【００３７】
実施例に係わる発光素子１００は、ＰＣＢ１１０(Printed Circuit Board)とＰＣＢ１１０に装着されて光を放出する発光部１２０を含み、発光部１２０は、光源を含んでもよい。この際、発光部１２０の光源は、例えば、LED(Light Emitting Diode；発光ダイオード）でもあるが、これに制限されない。
【００３８】
発光素子１００は、遮光部１３０を含むが、遮光部１３０は、発光部１２０に対応する位置に形成された開口１３５を有することができる。遮光部１３０は、発光部１２０から放出された光が開口１３５が形成された方向に向かって進行させうる。すなわち、遮光部１３０は、光が開口１３５から外側に向かって発散し、放出されることを遮断することができ、発光部１２０から放出された光に一定の方向性を有させ、所定位置に向かわせうる。
【００３９】
発光部１２０に対応する位置に形成された開口１３５は、円柱状の空洞を含んでもよい。開口１３５は、発光部１２０から遠ざかる方向の一側端部に発光部１２０から遠くなるほど拡張される外周面である傾斜面１３８を有することができる。すなわち、開口１３５の一側端部の幅は、発光部１２０から遠くなるほど増加する。
【００４０】
発光素子１００は、遮光部１３０とＰＣＢ１１０との間に配置され、発光部１２０から放出された光が遮光部１３０とＰＣＢ１１０との間に放出されることを遮断する密封部１５０を含んでもよい。密封部１５０は、弾性素材からなり、遮光部１３０とＰＣＢ１１０との間で圧縮される。
【００４１】
遮光部１３０とＰＣＢ１１０との間で圧縮された密封部１５０は、遮光部１３０と密封部１５０との間と、密封部１５０とＰＣＢ１１０との間を緊密に密封することができる。したがって、密封部１５０によって、発光部１２０から放出された光が遮光部１３０とＰＣＢ１１０との間に放出されることが防止され、発光部１２０から放出された光は、遮光部１３０の開口１３５を通じて外部に放出される。
【００４２】
発光素子１００は、発光部１２０から遠ざかる方向に向かう遮光部１３０の一面と接するように配置され、遮光部１３０の開口１３５から放出された光を透過させる透過部１４０を含んでもよい。
【００４３】
透過部１４０は、遮光部１３０の一面と接触し、遮光部１３０と緊密に結合されるように配置される。透過部１４０は、光が透過する透明な素材から形成される。発光部１２０から放出された光は、遮光部１３０の開口１３５を通過して透過部１４０を透過することができる。この際、透過部１４０を透過した光は、ユーザに視覚的に認識されて、発光素子１００は、視覚的な効果及び刺激をユーザに提供することができる。
【００４４】
透過部１４０は、遮光部１３０の開口１３５に収容される突出部１４５を含んでもよい。透過部１４０の一面から遮光部１３０の開口１３５に向けて延びる突出部１４５は、遮光部１３０の開口１３５に収容される。この際、透過部１４０の一面と透過部１４０の一面から延びる突出部１４５は、遮光部１３０と緊密に接触することができる。
【００４５】
透過部１４０の突出部１４５は、光が透過する透明な素材から形成され、発光部１２０から放出された光が透過部１４０の突出部１４５を通過して遮光部１３０の開口１３５の内壁から反射される。すなわち、透過部１４０は、発光部１２０から放出された光の経路を変更させず、遮光部１３０を保護する役割を行うことができる。
【００４６】
透過部１４０は、発光素子１００の最外郭面を形成することができ、透過部１４０は、発光素子１００の内部構造を保持させ、保護することができる。したがって、発光部１２０から放出された後、遮光部１３０の開口１３５の内壁面に反射されて透過部１４０を通過した光は、ユーザに認識される。
【００４７】
発光素子１００は、密封部１５０とＰＣＢ１１０との間に配置され、密封部１５０と前記ＰＣＢ１１０とを接着させる接着部１６０をさらに含んでもよい。
【００４８】
接着部１６０は、両面に接着剤が塗布され、密封部１５０とＰＣＢ１１０との間に配置される。密封部１５０とＰＣＢ１１０との間に配置された接着部１６０は、密封部１５０をＰＣＢ１１０に接着させ、密封部１５０をＰＣＢ１１０に対して固定させうる。
【００４９】
図１Ｂを参照すれば、発光素子１００の遮光部１３０に形成された開口１３５を通過した光の経路を概略的に知ることができる。
【００５０】
実施例に係わる発光素子１００は、ＬＥＤを含む発光部１２０を含んでもよい。発光部１２０は、ＰＣＢ１１０と電気的に連結されて光を放出することができる。発光素子１００の発光部１２０は、複数個の色相のうち、１つの色相を選択して発光可能である。したがって、発光素子１００の発光部１２０から放出される光の色相によって、発光素子１００の放出される光が異なる。発光部１２０から放出された光は、遮光部１３０に形成された開口１３５を通過することができる。
【００５１】
密封部１５０は、遮光部１３０とＰＣＢ１１０との間に配置される。密封部１５０は、弾性を有する素材に形成され、遮光部１３０とＰＣＢ１１０との間で圧縮されて遮光部１３０とＰＣＢ１１０とを緊密に密封することができる。密封部１５０は、両面に接着剤が塗布された接着部１６０を通じてＰＣＢ１１０に接着されて固定される。したがって、遮光部１３０とＰＣＢ１１０との間に配置された密封部１５０は、遮光部１３０とＰＣＢ１１０との間で光が放出されることを防止することができる。
【００５２】
遮光部１３０の開口１３５は、発光部１２０から遠くなる一側端部に発光部１２０から遠くなるほど拡張される外周面である傾斜面１３８を有する。この際、開口１３５の傾斜面１３８は、所定傾度を有することができる。
【００５３】
開口１３５の内壁面で反射されて進行する光は、開口１３５の扁平面で反射された後、発光部１２０から遠ざかる方向の開口１３５の一側端部に形成された発光部１２０から遠くなるほど傾斜面１３８から反射されて透過部１４０に進行する。傾斜面１３８は、開口１３５の中心方向に向けて所定傾度を有する。傾斜面１３８から反射された光は、扁平面から反射された光の光経路と互いに異なる光経路を有する。
【００５４】
開口１３５の傾斜面１３８から反射された光は、開口１３５の軸と平行な方向に進行する。したがって、開口１３５の傾斜面１３８から反射されて開口１３５の軸と平行な方向に進行する光は、開口１３５の平らな内壁面から反射されて、開口１３５の中心軸を通って進行する光の光経路と互いに異なる光経路を有する。
【００５５】
発光素子１００の開口１３５を通過して透過部１４０を透過した光は、開口１３５の断面の面積と類似した面積の形状を透過部１４０の一面に形成することができる。透過部１４０の一面に形成された像は、ユーザによって視覚的に認識される。
【００５６】
従来の発光素子１００から放出された光は、開口１３５の中心軸を通って放射方向に進行して開口１３５よりも広い領域に像を形成して、光ボケが発生する恐れがある。これと異なって、実施例に係わる発光素子１００は、一側端部に発光部１２０から遠くなるほど傾斜面１３８を有する開口１３５を含むことで、発光素子１００から放出された光が開口１３５の中心軸と平行に進められる。
【００５７】
遮光部１３０の開口１３５を通過した光によって作られた形状の面積は、開口１３５の断面の面積と類似している。実施例に係わる発光素子１００の発光部１２０から放出された光は、開口１３５の中心軸と平行に進行して光ボケ現象を防止することができて、発光素子１００が有する視覚的効果が明確にすることができる。
【００５８】
図２は、図１Ｂに示された実施例に係わる発光素子１００の分解図を示す図面である。
【００５９】
図２に基づいて実施例に係わる発光素子１００の内部構造の形状及び内部構造の各配置及び結合関係についてさらに詳細に説明する。
【００６０】
実施例に係わる発光素子１００は、ＰＣＢ１１０、及びＰＣＢ１１０に装着される発光部１２０を含んでもよい。発光部１２０は、ＰＣＢ１１０と電気的に連結されてＰＣＢ１１０から電力を供給されて光を放出することができる。
【００６１】
実施例に係わる発光素子１００は、遮光部１３０を含むが、遮光部１３０は、発光部１２０から放出された光が一方向に通過するように、発光部１２０に対応する位置に形成された開口１３５を有する。開口１３５は、円柱状の内部空洞を含んでもよい。
【００６２】
遮光部１３０の開口１３５の内壁面は、Ｒａ≦１である表面粗度を有して光を反射する鏡面(mirror surface)を形成することができる。すなわち、遮光部１３０の開口１３５の内壁面は、発光部１２０から放出された光を吸収せず、反射させて、遮光部１３０の開口１３５内部に光を進行させうる。
【００６３】
遮光部１３０は、一例として、成形性を有する合成樹脂からなりうる。この際、遮光部１３０は、遮光部１３０を不透明にする素材をさらに含んでもよい。したがって、遮光部１３０は、明度の低い黒色系列でもあるが、遮光部１３０の色は、それに制限されない。
【００６４】
遮光部１３０が遮光部１３０を不透明にする素材をさらに含むことにより、遮光部１３０の開口１３５の内部ではない、遮光部１３０の本体に進行する光は、遮光部１３０によって吸収される。したがって、遮光部１３０は、発光部１２０から放出された光を放出すると共に、遮光部１３０に形成された開口１３５を通じて、発光部１２０から放出された光を開口の延長方向に沿って進行させうる。
【００６５】
発光素子１００は、遮光部１３０とＰＣＢ１１０との間に配置される密封部１５０を含んでもよい。密封部１５０は、発光部１２０を取り囲む形状でもある。密封部１５０が発光部１２０を取り囲んで遮光部１３０とＰＣＢ１１０との間に配置されることにより、発光部１２０から放出された光が遮光部１３０とＰＣＢ１１０との間に放出されることを防止することができる。
【００６６】
密封部１５０は、弾性を有する素材を含み、弾性を有する素材は、例えば、ゴムや、弾性を有するプラスチックや、スポンジなどの素材でもあるが、それらに制限されず、光を遮断する素材であれば、本発明の実施範囲に含まれる。密封部１５０は、遮光部１３０とＰＣＢ１１０との間に配置され、遮光部１３０とＰＣＢ１１０によって圧縮される。したがって、密封部１５０は、遮光部１３０とＰＣＢ１１０との間の空間を緊密に密封して、光が遮光部１３０とＰＣＢ１１０との間に放出されることを防止することができる。
【００６７】
密封部１５０は、密封部１５０とＰＣＢ１１０との間に配置される接着部１６０を通じてＰＣＢ１１０に接着される。接着部１６０は、密封部１５０をＰＣＢ１１０に固定させて接着部１６０が発光部１２０を取り囲み、発光部１２０の間で放出された光が密封部１５０とＰＣＢ１１０との間に放出されることを防止することができる。
【００６８】
接着部１６０の両面には、接着剤が塗布されて密封部１５０をＰＣＢ１１０に接着させ、接着部１６０は、不透明な素材から形成される。接着部１６０は、例えば、明度の低い黒色でもあるが、これに制限されない。また、接着部１６０は、弾性を有する素材を含んでもよく、密封部１５０とＰＣＢ１１０との間に配置されて密封部１５０と共に、遮光構造を形成する。
【００６９】
実施例に係わる発光素子１００の透過部１４０は、発光部１２０から遠ざかる方向に向かう遮光部１３０の一面と接するように配置される。透過部１４０は、遮光部１３０の一面と緊密に接触して透過部１４０と遮光部１３０との間に光が放出されることを遮断することができる。
【００７０】
透過部１４０が遮光部１３０の一面と緊密に接触して透過部１４０と遮光部１３０との間の空間を密封可能なように透過部１４０は、遮光部１３０にインサート射出方式で形成される。この際、透過部１４０は、遮光部１３０と融合される素材を含んでもよく、遮光部１３０のガラス遷移温度は、透過部１４０のガラス遷移温度よりも高い。
【００７１】
遮光部１３０を先に作製して冷却した後で、インサート射出方式で透過部１４０を遮光部１３０に結合することができる。遮光部１３０のガラス遷移温度が透過部１４０のガラス遷移温度よりも高いことにより、透過部１４０が遮光部１３０にインサート射出方式で形成されるとき、透過部１４０が変形されず、形状を保持可能なので、透過部１４０と接する遮光部１３０の一面と開口１３５の内壁面との形状が変形されない。
【００７２】
遮光部１３０の開口１３５の内壁面の形状が保持されることにより、遮光部１３０の開口１３５の内壁面は、Ｒａ≦１である表面粗度を有することができ、光を反射させる鏡面を形成することができる。
【００７３】
透過部１４０は、遮光部１３０の開口１３５を通過した光を透過可能に透過性が高く、成形性を有する合成樹脂からなりうる。具体的に、透過部１４０は、遮光部１３０の開口１３５を通過した光が透過されるように透明な色でもある。透過部１４０が透明な色を有することで、遮光部１３０の開口１３５を通過した光は、透過部１４０を透過した後、ユーザによって認識される。ユーザによって認識された光を通じて、発光素子１００は、ユーザに視覚的効果及び表示を提供することができる。
【００７４】
透過部１４０は、遮光部１３０の開口１３５に収容されて開口１３５の内壁面と接する突出部１４５を含んでもよい。透過部１４０の突出部１４５は、遮光部１３０の開口１３５の内壁面と緊密に接触して透過部１４０と遮光部１３０との間の空間を密封することができる。
【００７５】
発光部１２０から放出された光は、透過部１４０の突出部１４５を通過して、遮光部１３０の開口１３５の内壁面で反射される。開口１３５の内壁面で反射された光は、透過部１４０の内部を透過することができる。
【００７６】
図３Ａないし図３Ｃは、他の実施例に係わる発光素子１００の遮光部１３０の例示的形状を示す図面である。
【００７７】
遮光部１３０は、発光部１２０に対応する位置に形成された開口１３５を含む。遮光部１３０の開口１３５は、円柱状の空洞を含んでもよい。開口１３５は、発光部１２０から遠ざかる方向における一側端部に発光部１２０から遠くなるほど拡張される外周面である傾斜面１３８を有することができる。すなわち、開口１３５の一側端部の幅は、発光部１２０から遠くなるほど増加することができる。
【００７８】
図３Ａを参照すれば、開口１３５の傾斜面１３８の一例示的形状について詳細に知ることができる。発光部１２０から遠くなる一側端部に形成された開口１３５の傾斜面１３８は、開口１３５の中心に向かう方向に傾斜してもよい。すなわち、開口１３５の拡張される外周面は、発光部１２０から遠ざかる方向に向かうほど拡張または縮小され、拡張または縮小される外周面の傾度は、一定である。
【００７９】
開口１３５の内壁面は、開口１３５の中心に向けて下向き傾斜する傾斜面１３８を含む。開口１３５の内壁面は、Ｒａ≦１である表面粗度を有し、光を反射させる鏡面を形成することができる。すなわち、発光部１２０から放出された光は、開口１３５の内壁面から反射されて開口１３５の内壁面の中心軸を通って進行する。開口１３５の傾斜面１３８で反射された光は、開口１３５の中心軸と平行に進められる。
【００８０】
開口１３５の中心に向かう方向に下向き傾斜した傾斜面１３８から反射された光は、透過部１４０を透過して開口１３５の断面の面積と類似した面積の形状を透過部１４０の一面に形成することができる。透過部１４０の一面に形成された像は、ユーザによって視覚的に認識される。透過部１４０の突出部１４５は、遮光部１３０の開口１３５と密接に接触し、開口１３５の内壁面から反射された光は、透過部１４０を透過して進められる。
【００８１】
遮光部１３０の本体、すなわち、遮光部１３０の開口１３５の内壁面以外の遮光部１３０の表面は、遮光部１３０の開口１３５の内壁面の粗度よりも高い粗度を有する。すなわち、遮光部１３０の本体の表面は、遮光部１３０の開口１３５の内壁面よりも粗い。
【００８２】
上述したように、遮光部１３０が不透明な素材を含み、遮光部１３０の本体の粗度が遮光部１３０の開口１３５の内壁面の粗度よりも粗いことから、遮光部１３０の開口１３５の内部ではない遮光部１３０の本体に進行する光は、遮光部１３０によって吸収される。
【００８３】
したがって、遮光部１３０は、発光部１２０から放出されて、遮光部１３０の本体に向かう光を遮断することができる。また遮光部１３０は、遮光部１３０の一側端部に形成された開口１３５を通じて、発光部１２０から遮光部１３０の開口１３５に向かう方向に放出された光を所定方向に進行させうる。
【００８４】
図３Ｂを参照すれば、開口１３５の傾斜面１３８の他の例示的形状について詳細に知ることができる。遮光部１３０の一側端部に形成された開口１３５の傾斜面１３８は、開口１３５の中心に向かう方向に凸状に湾曲される。すなわち、開口１３５の傾斜面１３８は、発光部１２０から遠ざかる方向に向かうほど拡張される程度が大きくなる。
【００８５】
開口１３５の内壁面は、開口１３５の中心に向かう方向に凸状に湾曲される傾斜面１３８を含む。開口１３５の内壁面は、Ｒａ≦１である表面粗度を有し、光を反射させる鏡面を形成することができる。すなわち、発光部１２０から放出された光は、開口１３５の内壁面から反射されて開口１３５の内壁面の中心軸を通って進行し、開口１３５の傾斜面１３８に到逹する。開口１３５の傾斜面１３８で反射された光は、開口１３５の中心軸と平行に進められる。
【００８６】
開口１３５の中心に向かう方向に凸状に湾曲された傾斜面１３８から反射された光は、透過部１４０を透過して開口１３５の断面の面積と類似した面積の形状を透過部１４０の一面に形成することができる。透過部１４０の一面に形成された像は、ユーザによって視覚的に認識される。
【００８７】
遮光部１３０本体、すなわち、遮光部１３０の開口１３５の内壁面以外の遮光部１３０の表面は、遮光部１３０の開口１３５の内壁面の粗度よりも高い粗度を有する。すなわち、遮光部１３０の本体の表面は、遮光部１３０の開口１３５の内壁面よりも粗い。
【００８８】
遮光部１３０の本体が粗い表面を有することで、遮光部１３０の本体に向かう光は、遮光部１３０によって容易に吸収される。したがって、遮光部１３０は、発光部１２０から放出された光のうち、遮光部１３０の本体に向かう光を吸収し、遮光部１３０の開口１３５に向けて放出された光を通過させうる。
【００８９】
したがって、遮光部１３０は、発光部１２０から放出され、遮光部１３０の本体に向かう光を遮断する。また、遮光部１３０は、遮光部１３０の一側端部に形成された開口１３５を通じて、発光部１２０から遮光部１３０の開口１３５に向かう方向に放出された光を所定方向に進行させうる。
【００９０】
図３Ｃを参照すれば、開口１３５の傾斜面１３８のさらに他の例示的形状について詳細に知ることができる。遮光部１３０の一側端部に形成された開口１３５の傾斜面１３８は、開口１３５の中心から遠ざかる方向に凹状に湾曲される。すなわち、開口１３５の傾斜面１３８は、発光部１２０から遠ざかる方向に向かうほど拡張される程度が小さくなる。
【００９１】
開口１３５の内壁面は、開口１３５の中心から遠ざかる方向に凹状に湾曲される傾斜面１３８を含む。上述したように、開口１３５の内壁面は、Ｒａ≦１である表面粗度を有し、光を反射させる鏡面を形成することができる。すなわち、発光部１２０から放出された光は、開口１３５の内壁面から反射されて開口１３５の内壁面の中心軸を通って進行し、開口１３５の傾斜面１３８に到逹することができる。開口１３５の傾斜面１３８で反射された光は、開口１３５の中心軸と平行に進められる。
【００９２】
遮光部１３０の本体の表面は、遮光部１３０の開口１３５の内壁面の粗度よりも高い粗度を有する。すなわち、遮光部１３０の本体の表面は、遮光部１３０の開口１３５の内壁面よりも粗い。
【００９３】
遮光部１３０の本体が粗い表面を有することで、遮光部１３０の本体に向かう光は、遮光部１３０によって容易に吸収される。したがって、遮光部１３０は、発光部１２０から放出された光のうち、遮光部１３０の本体に向かう光を吸収して、遮光部１３０の開口１３５に向けて放出された光を通過させうる。
【００９４】
したがって、遮光部１３０は、発光部１２０から放出されて、遮光部１３０の本体に向かう光を遮断することができる。また、遮光部１３０は、遮光部１３０の開口１３５を通じて、発光部１２０から遮光部１３０の開口１３５に向かう方向に放出された光を所定方向、すなわち、開口１３５が延びる方向にほぼ平行な方向に沿って進行させうる。
【００９５】
図３Ｂに示されたように、遮光部１３０の一側端部に形成された開口１３５の傾斜面１３８は、開口１３５の中心に向かう方向に凸状に湾曲される。また図３Ｃに示されたように、遮光部１３０の一側端部に形成された開口１３５の傾斜面１３８は、開口１３５の中心から遠ざかる方向に凹状に湾曲される。
【００９６】
開口１３５の傾斜面１３８が湾曲されて凸状または凹状の曲面を形成するとき、開口１３５の傾斜面１３８は、一定の曲率を有することができる。すなわち、開口１３５の傾斜面１３８の傾度が増加する比率または傾斜面１３８の傾度の減少する比率は、一定である。
【００９７】
また、開口１３５の傾斜面１３８は、可変曲率を有することができる。すなわち、傾斜面１３８の傾度が増加する比率または傾斜面１３８の傾度の減少する比率が、発光部１２０からの距離によって異なるように設計され、傾斜面１３８の傾度は、所定範囲以内でもある。開口１３５の傾斜面１３８が可変曲率を有することにより、開口１３５の傾斜面１３８から反射されて進行する光の経路を調整することができる。
【００９８】
図４は、図１Ｂないし図３Ｃに示された実施例に係わる発光素子１００を複数個含む発光モジュール２００を示す斜視図である。
【００９９】
発光モジュール２００は、複数個の発光素子１００を含んでもよい。この際、発光素子１００は、発光モジュール２００内部に並列的に配置され、発光モジュール２００内部で選択的に作動される。
【０１００】
発光モジュール２００に含まれる複数個の発光素子１００それぞれは、ＰＣＢ１１０、ＰＣＢ１１０に装着されて光を放出する発光部１２０、ＰＣＢ１１０から離隔されて、発光部１２０から放出された光が一方向に通過するように発光部１２０に対応する位置に形成された開口１３５を有する遮光部１３０、遮光部１３０とＰＣＢ１１０との間に配置されて、発光部１２０から放出された光が遮光部１３０とＰＣＢ１１０との間に放出されることを遮断する密封部１５０及び発光部１２０から遠ざかる方向に向かう遮光部１３０の一面と接し、光を透過させる透過部１４０を含み、遮光部１３０の開口１３５を通過した光ボケを防止するように遮光部１３０の開口１３５は、発光部１２０から遠くなる一側端部に発光部１２０から遠くなるほど拡張される外周面である傾斜面１３８を有することができる。
【０１０１】
発光モジュール２００に含まれる発光素子１００についての説明は、上述した実施例に係わる発光素子１００についての説明と同一なので、それと重複する範囲における詳細な説明は、省略する。
【０１０２】
発光モジュール２００に含まれる複数個の発光素子１００は、それぞれ異なる色を選択的に放出することができる。したがって、発光モジュール２００は、複数個の発光素子１００が放出する色を組み合わせて互いに異なる視覚的信号を提供することができる。
【０１０３】
発光モジュール２００に含まれる複数個の発光素子１００は、互いに異なる色を選択的に放出するだけではなく、電気的信号によって選択的にオン／オフされる。したがって、発光素子１００それぞれの個別的な点滅及びそれらの組合わせによって互いに異なる視覚的信号がユーザに提供される。
【０１０４】
図５Ａ及び図５Ｂは、図４に示された発光モジュール２００を含むさらに他の実施例に係わるエアロゾル生成装置３００を概略的に示す図面であり、図５Ｃは、図５Ａ及び図５Ｂに示された発光モジュール２００を含むエアロゾル生成装置３００の斜視図を示す図面である。
【０１０５】
図５Ａを参照すれば、エアロゾル生成装置３００は、バッテリ３１０、制御部３２０及びヒータ３４０を含む。図５Ａには、バッテリ３１０、制御部３２０及びヒータ３４０が一列に配置されている。
【０１０６】
図５Ｂを参照すれば、エアロゾル生成装置３００は、バッテリ３１０、制御部３２０、ヒータ３４０、蒸気化器３３０、及び発光モジュール２００を含んでもよい。また、エアロゾル生成装置３００の内部空間には、シガレット４００が挿入される。エアロゾル生成装置３００の設計により、バッテリ３１０、制御部３２０、ヒータ３４０及び蒸気化器３３０の配置は、変更可能である。
【０１０７】
図５Ａ及び図５Ｂに示されたエアロゾル生成装置３００に係わる構成要素が示されている。したがって、図５Ａ及び図５Ｂに示された構成要素以外に、他の汎用的な構成要素がエアロゾル生成装置３００にさらに含まれてもよいということは、実施例に係わる技術分野において当業者であるならば、理解することができるであろう。
【０１０８】
また、図５Ａ及び図５Ｂには、エアロゾル生成装置３００にヒータ３４０が含まれていると示されているが、必要によって、ヒータ３４０は、省略されてもよい。
【０１０９】
シガレット４００がエアロゾル生成装置３００に挿入されれば、エアロゾル生成装置３００は、蒸気化器３３０を作動させ、蒸気化器３３０からエアロゾルを発生させる。蒸気化器３３０によって生成されたエアロゾルは、シガレット４００を通過し、ユーザに伝達される。蒸気化器３３０についての説明は、後述する。
【０１１０】
バッテリ３１０は、エアロゾル生成装置３００の動作に用いられる電力を供給する。例えば、バッテリ３１０は、ヒータ３４０または蒸気化器３３０が加熱されるように電力を供給し、制御部３２０の動作に必要な電力を供給することができる。また、バッテリ３１０は、エアロゾル生成装置３００に設けられたディスプレイ、センサ、モータなどの動作に必要な電力を供給することができる。
【０１１１】
制御部３２０は、エアロゾル生成装置３００の動作を全般的に制御する。具体的に、制御部３２０は、バッテリ３１０、ヒータ３４０及び蒸気化器３３０のみならず、エアロゾル生成装置３００に含まれた他の構成の動作を制御する。また、制御部３２０は、エアロゾル生成装置３００の構成それぞれの状態を確認し、エアロゾル生成装置３００が動作可能な状態であるか否かを判断することもできる。
【０１１２】
制御部３２０は、少なくとも１つのプロセッサを含む。プロセッサは、多数の論理ゲートのアレイによっても具現され、汎用的なマイクロプロセッサと、該マイクロプロセッサで実行されるプログラムが保存されたメモリとの組み合わせによっても具現される。また、他の形態のハードウェアによっても具現されるということは、本実施例が属する技術分野において当業者であるならば、理解することができるであろう。
【０１１３】
発光モジュール２００は、エアロゾル生成装置３００の内部に配置されてエアロゾル生成装置３００の外部に光を放出することができる。発光モジュール２００から放出される光を介してエアロゾル生成装置３００は、視覚的表示をユーザに提供することができる。
【０１１４】
発光モジュール２００は、複数個の発光素子１００を含むが、発光モジュール２００に含まれる複数個の発光素子１００は、それぞれ異なる色を選択的に放出することができる。したがって、エアロゾル生成装置３００は、複数個の発光素子が放出する色を組み合わせてユーザに異なる視覚的信号を提供することができる。
【０１１５】
また、発光モジュール２００の複数個の発光素子１００は、制御部からの電気的信号によって選択的にオン／オフされる。したがって、発光素子１００それぞれの個別的な点滅及びそれらの組合わせによって互いに異なる視覚的信号がユーザに提供される。
【０１１６】
発光素子１００が放出する色及び発光素子１００の点滅によるそれぞれの視覚的信号は、エアロゾル生成装置３００の制御部３２０によって制御される。発光モジュール２００の発光素子１００が放出する色及び点滅の組合わせによるそれぞれの視覚的信号は、エアロゾル生成装置３００の状態または使用可能性などをそれぞれ意味する。
【０１１７】
したがって、ユーザは、エアロゾル生成装置３００の発光モジュール２００から放出される光の色及び点滅の組合わせによる視覚的信号に基づいてエアロゾル生成装置３００の状態及び使用可能性などを判断することができる。
【０１１８】
ヒータ３４０は、バッテリ３１０から供給された電力によって加熱される。例えば、シガレットがエアロゾル生成装置３００に挿入されれば、ヒータ３４０は、シガレットの外部に位置する。したがって、加熱されたヒータ３４０は、シガレット内のエアロゾル生成物質の温度を上昇させうる。
【０１１９】
ヒータ３４０は、電気抵抗性ヒータでもある。例えば、ヒータ３４０には、電気伝導性トラック(track)を含み、電気伝導性トラックに電流が流れることにより、ヒータ３４０が加熱される。しかし、ヒータ３４０は、上述した例に限定されず、希望温度まで加熱されるものであれば、制限なしに該当する。ここで、希望温度は、エアロゾル生成装置３００に既設定のものでもあり、ユーザによって所望温度に設定されてもよい。
【０１２０】
一方、他の例として、ヒータ３４０は、誘導加熱式ヒータでもある。具体的に、ヒータ３４０には、シガレットを誘導加熱方式で加熱するための電気伝導性コイルを含み、シガレットは、誘導加熱式ヒータによって加熱されるサセプタを含んでもよい。
【０１２１】
例えば、ヒータ３４０は、管状加熱要素、板状加熱要素、針状加熱要素または棒状加熱要素を含み、加熱要素の形態により、シガレット４００の内部または外部を加熱することができる。
【０１２２】
また、エアロゾル生成装置３００には、ヒータ３４０が複数個配置されてもよい。この際、複数個のヒータ３４０は、シガレット４００の内部に挿入されるように配置され、シガレット４００の外部に配置されてもよい。また、複数個のヒータ３４０のうち、一部は、シガレット４００の内部に挿入されるように配置され、残りは、シガレット４００の外部に配置される。また、ヒータ３４０の形状は、図５Ａ及び図５Ｂに示された形状に限定されず、多様な形状にも作製される。
【０１２３】
蒸気化器３３０は、液状組成物を加熱し、エアロゾルを生成し、生成されたエアロゾルは、シガレット４００を通過し、ユーザに伝達される。言い換えれば、蒸気化器３３０によって生成されたエアロゾルは、エアロゾル生成装置３００の気流通路に沿って移動し、気流通路は、蒸気化器３３０によって生成されたエアロゾルがシガレットを通過し、ユーザに伝達されるように構成される。
【０１２４】
例えば、蒸気化器３３０は、液体保存部、液体伝達手段及び加熱要素を含んでもよいが、それらに限定されるものではない。例えば、液体保存部、液体伝達手段及び加熱要素は、独立したモジュールであって、エアロゾル生成装置３００に含まれてもよい。
【０１２５】
液体保存部は、液状組成物を保存することができる。例えば、液状組成物は、揮発性タバコ香成分を含むタバコ含有物質を含む液体でもあり、非タバコ物質を含む液体でもある。液体保存部は、蒸気化器３３０から脱／付着するようにも作製され、蒸気化器３３０と一体として作製されてもよい。
【０１２６】
液体伝達手段は、液体保存部の液状組成物を加熱要素に伝達する。例えば、液体伝達手段は、綿纎維、セラミック纎維、ガラスファイバ、多孔性セラミックのような芯(wick)にもなるが、それらに限定されるものではない。
【０１２７】
例えば、蒸気化器３３０は、カトマイザ(cartomizer)または霧化器(atomizer)とも称されるが、それらに限定されるものではない。
【０１２８】
一方、エアロゾル生成装置３００は、バッテリ３１０、制御部３２０及びヒータ３４０外に汎用的な構成をさらに含んでもよい。例えば、エアロゾル生成装置３００は、視覚情報の出力が可能なディスプレイ及び／または触覚情報の出力のためのモータを含んでもよい。また、エアロゾル生成装置３００は、少なくとも１つのセンサ（パフ感知センサ、温度感知センサ、シガレット挿入感知センサなど）を含んでもよい。また、エアロゾル生成装置３００は、シガレット４００が挿入された状態でも、外部空気が流入されたり、内部気体が流出されたりする構造にも作製される。
【０１２９】
実施例に係わる発光素子１００は、一側端部に発光部１２０から遠くなるほど拡張される外周面である傾斜面１３８を有する開口を含むことで、発光素子１００から放出された光が開口の中心軸と平行に進められる。したがって、発光素子１００から放出された光の光ボケ現象を防止することができ、発光素子１００が有する視覚的効果を増進させて視覚的信号の意味をさらに明確にすることができる。
【０１３０】
上述した実施例に係わる発光素子１００を複数個含む発光モジュール２００及びそれを含むエアロゾル生成装置３００が本実施例によって提供される。これにより、エアロゾル生成装置３００を含む電子機器を使用するユーザの使い勝手が向上する。
【０１３１】
実施例に係わる発光素子１００の製造方法として、発光素子１００の製造方法は、ＰＣＢ１１０に光を放出する発光部１２０を装着させる段階、発光部１２０から放出された光を通過させるように、発光部１２０に対応する位置に形成された開口１３５を有する遮光部１３０をＰＣＢ１１０と離隔して配置させる段階、発光部１２０から放出された光が遮光部１３０とＰＣＢ１１０との間に放出されることを遮断する密封部１５０を遮光部１３０とＰＣＢ１１０との間に配置させる段階、及び光を透過させる透過部１４０を発光部１２０から遠ざかる方向に向かう遮光部１３０の一面と接するように配置させる段階を含み、遮光部１３０の開口１３５を通過した光ボケを防止するように開口１３５は、発光部１２０から遠ざかる方向における一側端部に発光部１２０から遠くなるほど拡張される外周面である傾斜面１３８を有することができる。
【０１３２】
実施例に係わる発光素子１００の製造方法の構成及び効果に係わっては、発光素子１００について上述した説明と同一なので、それと重複する範囲における詳細な説明は省略する。
【０１３３】
本実施例に係わる技術分野において通常の知識を有する者は、前記記載の本質的な特性から外れない範囲内で変形された形態に具現可能であることを理解できるであろう。したがって、開示された方法は、限定的な観点ではなく、説明的な観点で考慮されねばならない。本発明の範囲は、前述した説明ではなく、請求範囲に示されており、それと同等な範囲内にある全ての相違点は、本発明に含まれたものと解釈されねばならない。
【図１Ａ】
2021503184.tif 000003
【図１Ｂ】
2021503184.tif 000004
【図２】
2021503184.tif 000005
【図３Ａ】
2021503184.tif 000006
【図３Ｂ】
2021503184.tif 000007
【図３Ｃ】
2021503184.tif 000008
【図４】
2021503184.tif 000009
【図５Ａ】
2021503184.tif 000010
【図５Ｂ】
2021503184.tif 000011
【図５Ｃ】
2021503184.tif 000012
【国際調査報告】
2021503184.tif 000013
2021503184.tif 000014
2021503184.tif 000015
2021503184.tif 000016